(57)【要約】【課題】光の利用効率を高めつつ、回動ミラーの動作を検出することができる光走査装置を提供する。【解決手段】本発明の光走査装置５は、光ビームを反射し、回動によって光ビームを走査する回動ミラー１０を有し、回動ミラー１０の外周領域に光が通過する少なくとも１つの孔部１０ａが設けられた光偏向器９と、回動ミラー１０の反射面側に配設され、光ビームが透過する透過部７ａを有する窓板７が設けられたリッド部６と、回動ミラー１０の反射面と反対側に配設され、回動ミラー１０の孔部１０ａを通過した光を検出する受光センサ１８を備えている。【選択図】図３
2020144305.tif 000002
【特許請求の範囲】
【請求項１】
光ビームを反射し、回動によって前記光ビームを走査する回動ミラーを有し、前記回動ミラーの外周領域に光が通過する少なくとも１つの孔部が設けられた光偏向器と、
前記回動ミラーの反射面側に配設され、前記光ビームが透過する透過部を有する窓板が設けられたカバー部と、
前記回動ミラーの反射面と反対側に配設され、前記回動ミラーの前記孔部を通過する光を検出する受光部と、を備えていることを特徴とする光走査装置。
【請求項２】
前記窓板は、前記透過部の外周に前記光ビームを回折する回折部を有し、
前記回折部は、前記回折部に入射して回折した光が、前記回動ミラーの前記孔部を通過するように構成されていることを特徴とする請求項１に記載の光走査装置。
【請求項３】
前記回折部の回折角は、前記回動ミラーが所定の角度だけ回動したときに、前記受光部が検出する光強度が最大となるように設定されていることを特徴とする請求項２に記載の光走査装置。
【請求項４】
前記孔部は、前記回動ミラーの面に垂直に開けられた垂直孔であることを特徴とする請求項３に記載の光走査装置。
【請求項５】
前記回動ミラーは、非共振軸に関して非共振振動し、
前記孔部は、前記非共振軸に対して対称な位置に２個設けられていることを特徴とする請求項３又は４に記載の光走査装置。
【請求項６】
前記回折部は、前記窓板の前記光偏向器側に設けられていることを特徴とする請求項２〜５の何れか１項に記載の光走査装置。
【請求項７】
請求項２〜６の何れか１項に記載の光走査装置と、
前記光ビームを出射する光源と、
前記光源と前記カバー部との間に配設され、前記光ビームを遮光する遮光板と、を備え、
前記遮光板は、前記光ビームを前記窓板の前記透過部に導く第１の開口と、前記光ビームを前記窓板の前記回折部に導く第２の開口とを有していることを特徴とする光源装置。
【発明の詳細な説明】
【技術分野】
【０００１】
本発明は、光偏向器を用いて光を走査をする光走査装置、及び光走査装置を含む光源装置に関する。
【背景技術】
【０００２】
近年、発光ダイオードや半導体レーザ等の半導体光源と、ＭＥＭＳ(Micro Electro Mechanical Systems)ミラー、ＤＭＤ(Digital Mirror Device)等の小型光学偏向装置とを組み合せた光走査装置が、ピコプロジェクタやヘッドアップディスプレイ用に開発されている。
【０００３】
特に、ＭＥＭＳミラーを備える光偏向器では、ＭＥＭＳミラーを支持するトーションバーをねじることでＭＥＭＳミラーが回動するため、振れ角を測定し、安定して動作しているかを検査する。
【０００４】
例えば、下記の特許文献１の光偏向器は、支持基板に可動板と、可動板の一方の面に形成された反射面と、可動板を弾性的にねじれ振動自在に支持するねじりバネとを備えている。また、可動板及び反射面の中心部には、可動板及び反射面を貫通する中空部分（貫通孔）が形成されている。
【０００５】
この貫通孔は、可動板が中立位置にある時に最大の透過光量が得られるように、側壁の母線が入射光の入射方向と同一方向になるように形成されている。そして、貫通孔を透過する光を受光することができる位置に光検出素子が配置されているので、当該光を可動板近傍で効果的に検出することができる（特許文献１／段落００３６，００６１、図２（ｂ），図３)。
【先行技術文献】
【特許文献】
【０００６】
【特許文献１】特開２００３−００５１２４号公報
【発明の概要】
【発明が解決しようとする課題】
【０００７】
しかしながら、特許文献１の光偏向器では、貫通孔の内壁は光を反射せず、むしろ吸収するため、可動板の温度が上昇してしまうという問題があった。また、貫通孔が可動板の略中央に位置しているため、主目的の光の利用効率を低下させていた。
【０００８】
本発明は、このような事情に鑑みてなされたものであり、光の利用効率を高めつつ、回動ミラーの動作を検出することができる光走査装置を提供することを目的とする。
【課題を解決するための手段】
【０００９】
本発明の光走査装置は、光ビームを反射し、回動によって前記光ビームを走査する回動ミラーを有し、前記回動ミラーの外周領域に光が通過する少なくとも１つの孔部が設けられた光偏向器と、前記回動ミラーの反射面側に配設され、前記光ビームが透過する透過部を有する窓板が設けられたカバー部と、前記回動ミラーの反射面と反対側に配設され、前記回動ミラーの前記孔部を通過する光を検出する受光部と、を備えていることを特徴とする。
【００１０】
本発明の光走査装置は、カバー部の透過部を透過する光ビームを光偏向器の回動ミラーで反射し、反射した光ビームを走査して映像の投影等をすることができる。回動ミラーの外周領域には、光ビームが透過する孔部が設けられており、孔部を通過した光ビームは、受光部で検出される。これにより、回動ミラーが安定して回動しているか否かを検査することができるが、検出に用いる光ビームは光軸から離れた強度の弱い光である。このため、光の利用効率を高めると共に、回動ミラーの温度上昇による損傷や性能の低下を抑えることができる。
【００１１】
本発明の光走査装置において、前記窓板は、前記透過部の外周に前記光ビームを回折する回折部を有し、前記回折部は、前記回折部に入射して回折した光が、前記回動ミラーの前記孔部を通過するように構成されていることが好ましい。
【００１２】
この構成によれば、窓板は回折部を有し、回折部に入射した光ビームは回折した後、回動ミラーの孔部を通過する。これにより、簡易な構成で光ビームを受光部で検出して、回動ミラーの変位角を測定することができる。
【００１３】
また、本発明の光走査装置において、前記回折部の回折角は、前記回動ミラーが所定の角度だけ回動したときに、前記受光部が検出する光強度が最大となるように設定されていることが好ましい。
【００１４】
この構成によれば、回動ミラーは静止時よりも回動時の方が、受光部で検出される光ビームの光強度が強く、回動ミラーが所定の角度だけ回動したとき、検出される光強度が最大となる。これにより、回動時の回動ミラーの変位角を効率良く検出することができる。
【００１５】
また、本発明の光走査装置において、前記孔部は、前記回動ミラーの面に垂直に開けられた垂直孔であることが好ましい。
【００１６】
回動ミラーの孔部には回折した光ビームが入射するが、回動ミラーの静止時には、光ビームは孔部（垂直孔）の内面に当たり、受光部で検出されない。一方、回動ミラーの回動時には、孔部を通過する光ビームが増えて、回動ミラーの変位角を効率良く検出することができる。さらに、孔部の加工も容易である。
【００１７】
また、本発明の光走査装置において、前記回動ミラーは、非共振軸に関して非共振振動し、前記孔部は、前記非共振軸に対して対称な位置に２個設けられていることが好ましい。
【００１８】
この構成によれば、回動ミラーが非共振振動したとき、両孔部に入射する光ビームの光強度から変位角を検出することができる。非共振振動で回動する回動ミラーは共振振動と比べて高速で回動し、振れ角も小さい。そのため、共振振動と比べ、安定して回動しているかを検査することが難しい非共振振動の場合であっても、変位角を精度良く検出することができる。
【００１９】
また、第１発明の光走査装置において、前記回折部は、前記窓板の前記光偏向器側に設けられていることが好ましい。
【００２０】
回折部を窓板の光偏向器側に設けることで、回折部が傷付いたり、汚れたりすることが少なくなるため、正確に光ビームを回動ミラーの孔部に導くことができる。
【００２１】
本発明の光源装置は、上述の光走査装置と、前記光ビームを出射する光源と、前記光源と前記カバー部との間に配設され、前記光ビームを遮光する遮光板と、を備え、前記遮光板は、前記光ビームを前記窓板の前記透過部に導く第１の開口と、前記光ビームを前記窓板の前記回折部に導く第２の開口とを有していることを特徴とする。
【００２２】
本発明の光源装置では、光源から出射された光ビームが遮光板に入射する。遮光板は、光ビームを窓板の透過部に導く第１の開口と、窓板の回折部に導く第２の開口とを有しているので、光ビームが確実に分離される。
【００２３】
透過部を透過した光ビームは、光偏向器の回動ミラー（中央部）で反射して反射光を走査し、映像の投影等をすることができる。一方、回動ミラーの外周領域には、光ビームが透過する孔部が設けられており、孔部を通過した光ビームは受光部で検出される。これにより、回動ミラーが安定して回動しているか否かを検査することができる。また、検出に用いる光ビームは光軸から離れた強度の弱い光であるため、光の利用効率を高めると共に、回動ミラーの温度上昇を抑えることができる。
【図面の簡単な説明】
【００２４】
【図１】実施形態の光源装置の概要を説明する図。
【図２】図１の光走査装置を構成する光偏向器を説明する図。
【図３】光源装置の簡略断面図（ミラー静止状態）。
【図４】光源装置の簡略断面図（ミラー回動状態）。
【図５】回動ミラーの変位角と透過光強度の変化について説明する図。
【発明を実施するための形態】
【００２５】
以下、本発明の光源装置の実施形態について説明する。
【００２６】
図１は、実施形態の光源装置１の全体構成を示す図である。図１に示すように、光源装置１は、主にＬＤ（Laser Diode）２と、集光レンズ３と、遮光板４と、光走査装置５とで構成されている。
【００２７】
ここでは、説明のため、開封状態の光走査装置５を示す。光走査装置５は、主にリッド部６と、基板８と、基板８（台座８ａ）上に載置された光偏向器９等で構成されている。
【００２８】
ＬＤ２（本発明の「光源」）は、ＩｎＧａＮ系やＧａＮ系の半導体から構成され、図示しない電源から所定の電圧を印加することにより、紫外から青紫色（波長４２０〜４９０ｎｍ）の光ビームを出力する。
【００２９】
ＬＤ２（半値全角３０．６°）から出射された光ビームは、集光レンズ３に入射する。集光レンズ３はコリメートレンズ（焦点距離１．９６ｍｍ、直径２．６ｍｍ、軸上厚１．５ｍｍ）であり、光ビームが入射すると、ほぼ平行な平行光に変更して遮光板４の方向に導光する。
【００３０】
遮光板４（厚み０．５ｍｍ）は、中央部の光ビームを光走査装置５のリッド部６の窓板７の透過部７ａに導く第１の開口４ａ（直径１．１４ｍｍ）と、第１の開口４ａの外側にあり、光ビームを窓板７の回折部７ｂに導く第２の開口４ｂ（直径０．２ｍｍ、２個）とを有している。遮光板４は、第１の開口４ａ、第２の開口４ｂ以外の部分では、光を遮光する。
【００３１】
光走査装置５のリッド部６は天板と枠体からなり、天板に窓板７（厚み０．７ｍｍ）が設けられている。封止状態の光走査装置５においては、ＬＤ２の光ビームが窓板７を通じて光走査装置５の内部に到達できるようになっている。
【００３２】
リッド部６の材料は金属であり、窓板７の材料（例えば、ホウケイ酸ガラス）と広い温度範囲で熱膨張係数が一致するコバール合金（Ｆｅ５４％、Ｎｉ２８％、Ｃｏ１８％）が使用される。これにより、窓板７との接合時に熱膨張率の違いから生じる応力を低減させることができる。
【００３３】
また、リッド部６の枠体は、上面側が僅かに傾斜している。このような構造にしている理由は、窓板７で反射された光が光偏向器９（回動ミラー１０）で反射された光に混じって外部に出射されないようにするためである。
【００３４】
上述したように、窓板７は、光ビームが透過する透過部７ａと、その外周にあり、入射した光ビームを回折する回折部７ｂ（斜線部）とで構成されている。回折部７ｂは、窓板７の内面側に回折格子を設けた構造である。
【００３５】
窓板７の材料は薄く、不純物の少ない光学硬質ガラスである。窓板７（特に、透過部７ａ）が透明部材であることにより、ＬＤ２から光走査装置５内部へ入射する光ビームや、後述する光偏向器９（回動ミラー１０）で反射され、光走査装置５の外部へ出射される光の損失を小さくすることができる。例えば、光源装置１を車両用灯具として利用する場合、光偏向器９で反射された光が、車両前方の照射領域に配光パターンとして投影される。
【００３６】
光走査装置５の基板８上の構成について説明すると、基板８には光偏向器９が載置され、光偏向器９の電極（電極パッド１５，１６）と接続された配線ピン２１，２２が設けられている。配線ピン２１，２２は端子形状を有し、基板８及び後述する台座８ａを貫通して形成された開口に設けられている。
【００３７】
また、配線ピン２１，２２は、他方の端が図示しない回路部品と接続されている。配線ピン２１，２２は、上述した回路部品から送信される光偏向器９の駆動を制御するための電気信号を光偏向器９に送信する。
【００３８】
なお、基板８の表面とリッド部６の下端の表面とは、抵抗溶接で接合される。具体的には、台座８ａの外側に予め突起を設けておき、リッド部６を基板８に載置して加圧したとき、突起部にて生じる抵抗熱により溶接する。
【００３９】
次に、図２を参照して、光偏向器９の詳細を説明する。
【００４０】
光偏向器９は、二次元的に傾倒可能な回動ミラー１０（直径１．６５ｍｍ、厚み０．０５ｍｍ）を備え、回動ミラー１０に入射した光の反射方向を自在に変えられるようになっている。本実施形態では、回動ミラー１０がＬＤ２から出射された光ビームを、光走査装置５の外側に設置した蛍光体スクリーン（図示省略）の方向に反射させ、蛍光体スクリーン上を走査させる。
【００４１】
光偏向器９は、固定枠１１ａ内に配置された回動ミラー１０、半環状圧電アクチュエータ１２ａ，１２ｂ、トーションバー１３ａ，１３ｂ、蛇腹型圧電アクチュエータ１４ａ，１４ｂ等で構成されている。
【００４２】
また、制御装置（図示省略）は、電極パッド１５，１６から両アクチュエータに制御信号を送信する。制御信号により両アクチュエータが駆動し、これに伴ってトーションバー１３ａ，１３ｂがねじれることで、回動ミラー１０を回転させる。そして、ＬＤ２から光走査装置５の内部に入射した光ビームは、回動ミラー１０の中央部（円領域Ｃ）で反射される。
【００４３】
回動ミラー１０は、初期状態において、中心Ｏを通り回動ミラー１０に垂直な法線をまっすぐ前方に向けている。また、回動ミラー１０は、Ｙ軸方向のトーションバー１３ａ，１３ｂに支持され、円形環状の可動枠１１ｂの中心に配設されている。回動ミラー１０の反射面はＡｕ、Ｐｔ、Ａｌ等の金属薄膜であり、例えば、スパッタ法や電子ビーム蒸着法により形成される。なお、回動ミラー１０の形状は円形に限られず、楕円形や矩形であってもよい。
【００４４】
トーションバー１３ａ，１３ｂは、それぞれ一端が回動ミラー１０、他端が半環状圧電アクチュエータ１２ａ，１２ｂと結合している。また、半環状圧電アクチュエータ１２ａ，１２ｂは、それぞれ可動枠１１ｂを介して蛇腹型圧電アクチュエータ１４ａ，１４ｂの一端と結合している。蛇腹型圧電アクチュエータ１４ａ，１４ｂの他端は、それぞれ固定枠１１ａと結合している。
【００４５】
半環状圧電アクチュエータ１２ａ，１２ｂは、回動ミラー１０を主走査方向の周り（Ｙ軸周り、共振軸周り）に回動させる（約±１０°の共振振動）。また、蛇腹型圧電アクチュエータ１４ａ，１４ｂは、回動ミラー１０を副走査方向の周り（Ｘ軸周り、非共振軸周り）に回動させる（約±３°の非共振振動）。
【００４６】
また、図示するように、回動ミラー１０の外周領域（円領域Ｃの外側）には、孔部１０ａ（直径０．００５ｍｍ）が２個開けられている。孔部１０ａは、回動ミラー１０の平面に垂直な垂直孔であり、回動ミラー１０の副走査方向（Ｙ軸上）に設けている。孔部１０ａは、共振振動時に回動ミラー１０の変位角を検出するために用いるが、少なくとも１つあればよい。
【００４７】
回動ミラー１０の裏面側には、受光センサ１８（１５．０ｍｍ角）が配設されており、孔部１０ａを通過した光ビームの光強度を検出する。受光センサ１８は、例えば、受光面が分割された（又は分割されていない）フォトダイオードを採用することができる。
【００４８】
半環状圧電アクチュエータ１２ａ，１２ｂ及び蛇腹型圧電アクチュエータ１４ａ，１４ｂは、ＳＯＩ（Silicon On Insulator）基板上で成膜及びエッチング処理を行う半導体プロセスにより、チタン酸ジルコン酸鉛等からなるピエゾ圧電膜（ＰＺＴ）を下部電極及び上部電極で挟み込んだ構造となっている。下部電極、上部電極を介して圧電膜に電圧を印加することで、ＰＺＴを変形させるという仕組みである。
【００４９】
また、固定枠１１ａの辺部表面には、電極パッド１５，１６（５個ずつ）が設けられている。電極パッド１５，１６は、例えば、Ａｌ（アルミニウム）薄膜からなり、ワイヤにより後述する配線層に設けられた電極パッドにそれぞれ接続されている。これにより、光偏向器９の各アクチュエータを駆動させることができる。
【００５０】
次に、図３、図４を参照して、光源装置１の詳細について説明する。
【００５１】
まず、図３に、光偏向器９の回動ミラー１０が回動していない状態、すなわち、静止状態の光源装置１の簡略断面図を示す。ＬＤ２から出射された光ビームは、集光レンズ３で平行光に変換され、遮光板４に入射する。なお、集光レンズ３と遮光板４の距離は、３．０ｍｍとした。
【００５２】
遮光板４の第１の開口４ａを通過した光ビームは、映像用に用いられるメイン光Ｍとなる。また、遮光板４の第２の開口４ｂを通過した光ビームは、回動ミラー１０の変位角を検出するために用いられるサブ光Ｓ１，Ｓ２となる。なお、遮光板４と窓板７（外側）の距離は７．３ｍｍとした。
【００５３】
メイン光Ｍは、リッド部６に設けられた窓板７の透過部７ａを透過して、回動ミラー１０の中央部（図２の円領域Ｃ）に入射する。ここで、メイン光Ｍは、半値全角が３０．６°の光ビームの±１７．０°の光を用いている。回動ミラー１０の中央部は、反射率が９９％以上あるため、回動ミラー１０の温度上昇には寄与しない。
【００５４】
また、サブ光Ｓ１，Ｓ２は、窓板７の回折部７ｂを透過して、それぞれ角度θ１（＋３°）、角度θ２（−３°）だけ回折した後、回動ミラー１０の孔部１０ａに入射する。
【００５５】
遮光板４がない場合、光ビームがメイン光Ｍとサブ光Ｓ１，Ｓ２に確実に分離されないが、光ビームは、窓板７の透過部７ａ及び回折部７ｂに入射する。このため、遮光板４は必須の構成ではない。
【００５６】
また、回折部７ｂは、窓板７の内側（光偏向器９側）、外側又は両面側に設けてもよい。回折部７ｂが傷付いたり、汚れたりした場合、回折角が変化して回折光が孔部１０ａに入射しなくなることが考えられるため、少なくとも窓板７の内側に回折部７ｂを設けることが好ましい。
【００５７】
また、図３の左側に領域Ｒ１の拡大図を示す。図示するように、サブ光Ｓ１が回折した回折光Ｓ１’は、孔部１０ａの内面を照射する。ここで、サブ光Ｓ１は、半値全角が３０．６°の光ビームの−２７．５°〜−２２．０°の弱光を用いているため、回動ミラー１０が光ビームを吸収しても温度上昇にはつながらない。
【００５８】
図示を省略するが、サブ光Ｓ２も同様で、回折した回折光Ｓ２’は、もう１つの孔部１０ａの内面を照射する。なお、回折光Ｓ１’、回折光Ｓ２’は、＋１次光と−１次光の何れを使用してもよいし、２次光以上の高次光を使用してもよい。
【００５９】
今回、窓板７（内側）と回動ミラー１０（反射面）の距離を１．４７ｍｍとし、回動ミラー１０（裏面）と受光センサ１８の距離を０．５５ｍｍとした。
【００６０】
次に、図４に、光偏向器９の回動ミラー１０が回動した状態の光源装置１の簡略断面図を示す。ここでも、サブ光Ｓ１，Ｓ２が、窓板７の回折部７ｂを透過して、それぞれ角度θ１，角度θ２だけ回折した後、回動ミラー１０の孔部１０ａに入射する。
【００６１】
また、図４の左側に領域Ｒ２の拡大図を示す。図示するように、回動ミラー１０が回動している状態では、回折光Ｓ１’は孔部１０ａを通過する。一方、図示を省略するが、回折光Ｓ２’は孔部１０ａを通過しない。このように、回動ミラー１０が回動した角度（変位角）に応じて、受光センサ１８で検出される光強度が変化するため、回動ミラー１０が安定して動作しているかを検査することができる。
【００６２】
回動ミラー１０の変位角は最大で約±１０°であるが、±５°でも±３°でもよい。回動ミラー１０の最大変位角と回折角を合わせると、回動ミラー１０が所定の電流値において、最大変位角まで回動しているかを検査し易くなる。
【００６３】
最後に、図５を参照して、回動ミラーの変位角と透過光強度の変化について説明する。
【００６４】
図３に示した回動ミラー１０の静止時（ｔ＝０）からｔ＝Ｔ／８の付近までは、変位角θ（実線）は徐々に大きくなるものの、受光センサ１８で検出される透過光強度Ｉ（破線）は０である。その後、変位角θがさらに大きくなるに従い透過光強度Ｉが大きくなり、変位角θが回折角と同じ角度θ１となったとき（ｔ＝Ｔ／４）、透過光強度Ｉが最大値となる。
【００６５】
その後、回動ミラー１０は初期位置に戻るため、変位角θが小さくなるに従い透過光強度Ｉが小さくなり、ｔ＝３Ｔ／８付近で透過光強度Ｉは０となる。ｔ＝Ｔ／２以降、回動ミラー１０は反対方向に変位する。回動ミラー１０の初期位置（ｔ＝Ｔ／２）からｔ＝５Ｔ／８の付近までは、変位角θは徐々に（反対方向に）大きくなるものの、受光センサ１８で検出される透過光強度Ｉは０である。
【００６６】
その後、変位角θが大きくなるに従い透過光強度Ｉが大きくなり、変位角θが回折角と同じ角度θ２となったとき（ｔ＝３Ｔ／４）、透過光強度Ｉが再び最大値となる。このように、透過光強度Ｉは鋭いピークを有する変化を示すので、高精度の変位角検知を行うことができる。
【００６７】
以上、本発明の実施形態に係る光源装置１、光走査装置５について説明したが、本発明は、これまで説明した実施形態に限られない。
【００６８】
回動ミラー１０の孔部１０ａは、垂直孔に限られない。加工が多少難しくなるものの、孔部１０ａは回動ミラー１０の平面に対して傾斜した傾斜孔でもよい。この場合、回動ミラー１０の静止時に受光センサ１８で光ビーム（回折光）の光強度が最大となるように孔部を傾斜させて、回動ミラー１０の変位角を検出することができる。
【００６９】
また、上述の実施形態では、孔部１０ａを光偏向器９のＹ軸上（トーションバー１３ａ，１３ｂの軸線上）に設けたが、Ｘ軸上に２個の孔部を設けてもよい。Ｘ軸上に設けた孔部では、回動ミラー１０の非共振振動（±１０°）を検出することができるが、窓部７の回折部７ｂの位置も変更する必要がある。
【００７０】
また、非共振振動は外側の蛇腹型圧電アクチュエータ１４ａ，１４ｂにより回動ミラー１０を回動させているが、共振振動は内側の半環状圧電アクチュエータ１２ａ，１２ｂにより回動ミラー１０を回動させている。従って、共振振動を検出する場合には、受光センサ１８の大きさも変更する必要がある。
【００７１】
リッド部６の窓板７は、全面を回折部７ｂとしてもよい。この場合、入射する全ての光ビームが回折する分、メイン光Ｍの利用効率が低下するものの、メイン光Ｍの反射光を映像の照射に用いることは可能である。
【００７２】
また、上述の実施形態では、回折部７ｂは回折格子を形成していたが、代わりにくさび型プリズムを用いてもよい。これによっても、サブ光Ｓ１，Ｓ２の角度を変化させることができる。
【００７３】
本発明の光源装置１は、照明装置、プロジェクタの他、車両用の灯具（ヘッドライト）、距離測定装置等、様々な目的で利用することができる。
【符号の説明】
【００７４】
１…光源装置、２…ＬＤ、３…集光レンズ、４…遮光板、５…光走査装置、６…リッド部、７…窓板、７ａ…透過部、７ｂ…回折部、８…基板、９…光偏向器、１０…回動ミラー、１０ａ…孔部、１１ａ…固定枠、１１ｂ…可動枠、１２ａ，１２ｂ…半環状圧電アクチュエータ、１３ａ，１３ｂ…トーションバー、１４ａ，１４ｂ…蛇腹型圧電アクチュエータ、１５，１６…電極パッド、１８…受光センサ、２１，２２…配線ピン。
【図１】
2020144305.tif 000003
【図２】
2020144305.tif 000004
【図３】
2020144305.tif 000005
【図４】
2020144305.tif 000006
【図５】
2020144305.tif 000007